(57)【特許請求の範囲】
【請求項１】
感光材料を遮光して収納する感光材料箱と感光材料先端部の外部露出に関係なく収納感光材料を遮光すると共に収納感光材料を引き出し可能な開口部とを形成した感光材料用カートリッジを用いる感光材料供給装置において、前記感光材料用カートリッジの装着時又は装着後に感光材料が前記開口部を通過する際の引出し抵抗を小さくするために前記開口部の感光材料通路が感光材料の厚み方向に開く開口部開き手段を備えたことを特徴とする感光材料供給装置。
【請求項２】
第１感光材料を収納した第１感光材料用カートリッジと第２感光材料を収納した第２感光材料用カートリッジを別々に装置本体に収納可能な感光材料供給装置において、前記装置本体に固定された固定軸で回転自在の第１ローラと、他の固定軸で回転自在の第２ローラと、前記装置本体に固定された固定軸を中心に往復動し且つ、往復動の両方向で回転可能な駆動ローラと、前記駆動ローラを前記第１ローラに押圧する位置と前記第２ローラに押圧する位置との間で移動させる駆動ローラ移動手段とを備え、前記第１感光材料を前記駆動ローラと前記第１ローラにより搬送し、前記第２感光材料を前記駆動ローラと前記第２ローラにより搬送することを特徴とする感光材料供給装置。
【請求項３】
感光材料を遮光して収納する感光材料箱と感光材料先端部の外部露出に関係なく収納感光材料を遮光すると共に収納感光材料を引き出し可能な開口部とを形成した感光材料用カートリッジにおいて、前記感光材料用カートリッジが感光材料供給装置に装着時又は装着後に、前記開口部の感光材料通路を開く感光材料供給装置側に設けた開口部開き手段により、感光材料が前記開口部を通過する際の引出し抵抗を小さくするために前記開口部が感光材料の厚み方向に開くようにしたことを特徴とする感光材料用カートリッジ。
【請求項４】
ロール状の感光材料を収納し開口部より感光材料を引き出す感光材料用カートリッジにおいて、前記開口部の近傍に前記開口部より外部に引き出された感光材料を切断すると共に、前記開口部での感光材料の搬送方向と同方向に退避のためにスライド可能なカッタ手段を備えたことを特徴とする感光材料用カートリッジ。
【発明の詳細な説明】
【０００１】
【発明の属する技術分野】
本発明は感光材料供給装置及び感光材料用カートリッジに係わり、更に詳しくは感光材料の供給が簡易、確実で、小型な感光材料供給装置、及び前記感光材料供給装置に用いる感光材料用カートリッジに関する。
【０００２】
【従来の技術】
従来より、感光材料を収納した複数の感光材料用カートリッジを装着可能な感光材料供給装置が知られており、従来例を図７で説明すると、感光材料（ペーパーともいう）Ｐを収納した感光材料用カートリッジ９０Ａが収納されるようになっており、ペーパーＰは開口部より引き出されローラ９１Ａ、ローラ９２Ａ、ガイド板４５により搬送され吸盤１４により搬送され、その後、カッタ１６で切断されるようになっている。同様にして、ペーパーＰを収納した他の感光材料用カートリッジ９０Ｂが収納されるようになっており、ペーパーＰは開口部より引き出されローラ９１Ｂ、ローラ９２Ｂ、ガイド板４５により搬送され吸盤１４により搬送され、その後、カッタ１６で切断されるようになっている。
【０００３】
上記従来例において、（１）ペーパーＰは開口部の遮光部材の摩擦に抗して引出されている。また、（２）２つのペーパーＰの搬送路に用いているローラはそれぞれ別々に設けられている。また、（３）感光材料用カートリッジの開口部は引出し時に開くようにはなっていない。また、（４）感光材料用カートリッジの感光材料の先端部は市販等のカッタで切断している。
【０００４】
【発明が解決しようとする課題】
しかしながら、上述の各従来技術の課題として、（１）感光材料の引出し力は小さいことが望ましい。また、（２）感光材料の搬送機構は簡易で小型化が望まれる。また、（３）感光材料用カートリッジの開口部は感光材料の搬送時に軽く引き出せることが望まれる。また（４）感光材料用カートリッジの感光材料の切断が簡易で小型化が望まれる。
【０００５】
本発明は上記の課題に鑑みなされたもので、本発明の目的は、（１）感光材料用カートリッジからの感光材料の引出し力が小さい感光材料供給装置を提供することにある。また、（２）複数の感光材料の搬送機構が簡易で、確実で、小型な感光材料供給装置を提供することにある。また、（３）感光材料用カートリッジの感光材料の開口部が感光材料搬送時に軽く引き出せる感光材料用カートリッジを提供することにある。また、（４）感光材料用カートリッジの感光材料の先端部の切断が簡易で、確実に、正確に感光材料用カートリッジを提供することにある。
【０００６】
【課題を解決するための手段】
上記の目的は下記のような手段により達成される。即ち、
（１）感光材料を遮光して収納する感光材料箱と感光材料先端部の外部露出に関係なく収納感光材料を遮光すると共に収納感光材料を引き出し可能な開口部とを形成した感光材料用カートリッジを用いる感光材料供給装置において、前記感光材料用カートリッジの装着時又は装着後に感光材料が前記開口部を通過する際の引出し抵抗を小さくするために前記開口部の感光材料通路が感光材料の厚み方向に開く開口部開き手段を備えたことを特徴とする感光材料供給装置、
（２）第１感光材料を収納した第１感光材料用カートリッジと第２感光材料を収納した第２感光材料用カートリッジを別々に装置本体に収納可能な感光材料供給装置において、前記装置本体に固定された固定軸で回転自在の第１ローラと、他の固定軸で回転自在の第２ローラと、前記装置本体に固定された固定軸を中心に往復動し且つ、往復動の両方向で回転可能な駆動ローラと、前記駆動ローラを前記第１ローラに押圧する位置と前記第２ローラに押圧する位置との間で移動させる駆動ローラ移動手段とを備え、前記第１感光材料を前記駆動ローラと前記第１ローラにより搬送し、前記第２感光材料を前記駆動ローラと前記第２ローラにより搬送することを特徴とする感光材料供給装置、
（３）感光材料を遮光して収納する感光材料箱と感光材料先端部の外部露出に関係なく収納感光材料を遮光すると共に収納感光材料を引き出し可能な開口部とを形成した感光材料用カートリッジにおいて、前記感光材料用カートリッジが感光材料供給装置に装着時又は装着後に、前記開口部の感光材料通路を開く感光材料供給装置側に設けた開口部開き手段により、感光材料が前記開口部を通過する際の引出し抵抗を小さくするために前記開口部が感光材料の厚み方向に開くようにしたことを特徴とする感光材料用カートリッジ、
（４）ロール状の感光材料を収納し開口部より感光材料を引き出す感光材料用カートリッジにおいて、前記開口部の近傍に前記開口部より外部に引き出された感光材料を切断すると共に、前記開口部での感光材料の搬送方向と同方向に退避のためにスライド可能なカッタ手段を備えたことを特徴とする感光材料用カートリッジである。
【０００８】
ここで、感光材料とは感光性を有する材料で、例えば印刷製版用ペーパー、白黒フィルム用印画紙、カラーフィルム用印画紙（単にパーパーともいう）等をいう。
【０００９】
【発明の実施の形態】
本発明の感光材料用供給装置の説明に先立ち、本発明の感光材料用供給装置を適用するに適した感光材料露光装置の全体構成を説明する。図１は本発明の感光材料用供給装置を適用するに適した感光材料露光装置の構成断面図である。図１で、最初にロール状のペーパーＰが収納された感光材料用カートリッジ７０Ａと感光材料用カートリッジ７０Ｂをセットする。ペーパーＰの先端がローラにより搬送され、その後、吸盤１４で吸着される。吸盤１４が移動しペーパーＰは露光台１３に搬送される。その後、ペーパーＰはカッタ１６で切断される。露光台１３が上部に移動し、光源ユニット１２で図示しない原稿フィルムがペーパーＰに密着露光される。その後、ペーパーＰは露光台１３が下降してローラで搬送されて最後に現像部１１で現像処理されて外に排出されるようになっている。なお、本発明の感光材料供給装置は前記感光材料用カートリッジのセットよりカッタ部までの感光材料の供給部分をいう。
【００１０】
（実施の形態１）
実施形態の感光材料供給装置を説明すると、図２は本発明の感光材料供給装置の構成断面図で、図３は本発明の感光材料供給装置の開口開き部構成図である。図２，図３で、感光材料用カートリッジ室３０は２つの感光材料用カートリッジ７０Ａ，７０Ｂが収容できるようになっている。開口部開き手段は感光材料用カートリッジ７０Ａ，７０Ｂの装着時又は装着後に開口部７２の感光材料通路をペーパーＰの厚み方向に開くようになっている。後述する固定金具７３（図５（Ａ）参照）の情報に基づき開口部開き手段であるスライド機構６２がスライド棒６３に沿って移動し、ソレノイド６１の作動により開口部開き手段であるピン６４Ａ，６４Ｂが感光材料用カートリッジの開口部に挿入され開口部が広げられるようになっている。第１ローラ４２Ａは装置本体に固定された固定軸で回転自在となっており、第２ローラ４２Ｂは装置本体に固定された固定軸で回転自在となっている。また、駆動ローラ４８（図２参照）はモータ４１により両方向に回転可能で、モータ４１は装置本体に固定された固定軸のアーム４３に固定されている。駆動ローラ移動手段であるアーム４３と歯車４４とは一体となっている。歯車４４はウオーム４６と噛み合い、ウオーム４６は駆動ローラ移動手段であるモータ４７により回転するようになっている。モータ４７の回転により、駆動ローラ４８は第１ローラ４２Ａに押圧する位置と第２ローラ４２Ｂに押圧する位置との間を移動する。第１感光材料であるペーパーＰは駆動ローラ４８と第１ローラ４２Ａにより搬送され、第２感光材料であるペーパーＰは駆動ローラ４８と第２ローラ４２Ｂにより搬送される。
【００１１】
次に、ペーパーＰの搬送路について説明すると、ペーパー搬送路１５にはガイド板４５が対向しており、ペーパーＰはガイド板４５に沿って搬送される。また、ペーパー搬送路１５には前記遮光部材のローラ４９Ａ，４９Ｂは対向するガイド板４５に軽く押圧して遮光をしている。なお、感光材料用カートリッジ室３０以外はペーパーＰの光かぶりがないように暗室１７となっている。
【００１２】
ここで、主な動作を説明すると、先ず、図示しない蓋を開き、２つの感光材料用カートリッジ７０Ａ，７０Ｂを感光材料用カートリッジ室３０に装填する。ここで、感光材料の幅が前述のような固定金具７３により検知される。その後、感光材料の幅の検知に基づきスライド機構６２が移動し、ソレノイド６１が作動してピン６４Ａ，ピン６４Ｂを開口部７２の感光材料の幅方向の側端近くに挿入する。そこで感光材料の通路を開き、感光材料の引出し力を減少させている。
【００１３】
ここで、第１の感光材料を搬送する例を説明する。図示しない操作ボタンを押すと駆動ローラ移動手段であるモータ４７が回転しウオーム４６が回転し歯車４４が回転する。歯車４４の回転によりアーム４３が図２において反時計方向に回転する。ここで、駆動ローラ４８が第１ローラ４２Ａと当接し、アーム４３に設けられたモータ４１の回転で駆動ローラ４８が回転する。するとペーパーＰの先端は第１ローラ４２Ａと駆動ローラ４８にはさまれてペーパー搬送路１５に沿って搬送される。ここで、ペーパーＰの先端はガイド板４５とローラ４９Ａで遮光された部分を通過し、更に先端はガイド板４５に沿って搬送され、カッタ１６を通過し、更に吸盤１４で吸着し、露光台１３に搬送する。その後、ペーパーＰはカッタ１６で切断されるようになっている。
【００１４】
次に、第２の感光材料を搬送する例を説明すると、第１の感光材料と同様にして、第２の感光材料をセットする。図示しない操作ボタンを押すと、モータ４７が逆回転し、ウオーム４６が回転し歯車４４が回転し、アーム４３が図２において時計方向に回転する。すると、駆動ローラ４８が第２ローラ４２Ｂに当接する。ここで、アーム４３に設けられたモータ４１が回転し、ペーパーＰの先端は第２ローラ４２Ｂと駆動ローラ４８にはさまれてペーパー搬送路１５に沿って搬送される。ペーパーＰの先端はガイド板４５とローラ４９Ｂで遮光された部分を通過し、更にペーパーＰはガイド板４５に沿って搬送され、カッタ１６を通過し、更に吸盤１４で吸着し、露光台１３に搬送する。その後、カッタ１６でカットされるようになっている。
【００１５】
次に、感光材料用カートリッジの取出の動作を説明すると、感光材料用カートリッジの開口部を広げているピン６４Ａ，６４Ｂを抜きとり、図示しない感光材料用カートリッジ７０Ａのカバーを開き、感光材料用カートリッジ７０Ａを取出す。なお、ローラ４９Ａとガイド板４５との圧接により圧接部分は遮光されているので、感光材料用カートリッジ７０Ｂに設けられたペーパーＰは遮光され光かぶりがないようになっている。感光材料用カートリッジ７０Ｂを取出す場合も同様であり、ローラ４９Ｂとガイド板４５との圧接により圧接部分は遮光されており感光材料用カートリッジ７０Ａに設けられたペーパーＰは遮光されるようになっている。
【００１６】
（実施の形態２）
本発明の感光材料用カートリッジを図面に基づき説明する。図４は感光材料用カートリッジの外観斜視図で、図５は感光材料用カートリッジのカッタ部、スライド把持部の斜視図である。
【００１７】
図４，図５で、感光材料用カートリッジは感光材料の入った感光材料箱Ｂをセットできるようになっている。また、スライド把持手段であるスライド把持部８５は感光材料用カートリッジ本体７１の側面に設けられ、感光材料供給装置側に設けた図示しない溝にスライドすると共に感光材料用カートリッジを把持するための把手を併用している。また、開口部は感光材料用カートリッジが感光材料供給装置に装着時又は装着後に、装置本体側のピン６４Ａ，６４Ｂにより開かれるようになっている。感光材料の厚み方向に開くことにより、感光材料が開口部を通過する際の引出し抵抗を小さくなるようになっている。ピン６４Ａは感光材料のサイズにより位置が選択される。また、ピン６４Ｂは感光材料のサイズに関係なく使用される。カッタ手段であるカッタ８０は開口部近傍に設けられ、感光材料の先端部を引き上げて切断できるようになっている。固定金具７３は感光材料箱Ｂの幅方向を固定する。また、固定金具７３は感光材料箱Ｂを固定すると同時に感光材料の幅を検知するようになっている。スライド把持手段であるスライド把持部８５は感光材料供給装置側に設けた溝にスライドすると共に感光材料用カートリッジを把持する把持部を併用している。
【００１８】
ここで、セット動作を説明すると、開口部上板７２１とカッタ８０を取り外してから感光材料箱Ｂをセットする。ここで、固定金具７３を固定し、ペーパーＰの先端部をカッタ８０の刃に沿って引き上げることにより切断する。ここで、スライド把持部８５を持って装置本体の図示しない溝に装填する。
【００１９】
（実施形態３）
他の感光材料用カートリッジを図面に基づき説明する。図６は他の感光材料用カートリッジの分解斜視図である。なお、実施形態１、２で説明の感光材料用カートリッジと機構的、機能的に同一の部材には同一符号を付け説明は省略する。図６で、開口部上板７２１は感光材料用カートリッジの開口部の上板で、一端に開口部上板係止部７２１Ａ、他端に開口部上板係止部７２１Ｂがある。また、開口部上板７２１は感光材料の搬送方向と平行に長溝が有りカッタ８２に固定されたピン８３がスライド可能となっている。また、カッタ手段はペーパーＰの先端部をカッタ８２の刃に沿って引き上げることによりカットできるようになっており、カッタ８３は、ピン８３が前記長溝を移動することにより、感光材料の搬送方向にスライド可能となっている。開口部上板７２１とカッタ８２の間にバネ８４がかけられ感光材料の搬送方向と平行にスライド可能となっている。またロックツマミ８６は１タッチで開口部上板７２１とカッタ８２のロック及び解除ができるようになっている。
【００２０】
ここで、セット動作を説明する。先ず、感光材料箱Ｂを装填し、固定金具７３で固定する。開口部上板係止部７２１Ａを係止部７１１に差し込み、ロックツマミ８６を穴７２３へ入れて固定する。ここで、ペーパーＰの先端部をカッタ８２の刃に沿って引き上げカットする。その後、装置本体に感光材料用カートリッジを装填する。図示しない装置本体の部材により、カッタ８２を押しているバネ８４が伸びてガイドピン８３が図６においてペーパーＰの搬送方向と逆方向にスライドしてセットが完了する。即ち、装置本体の図示しない部材が、カッタ８２をペーパーＰの搬送方向と逆方向に押してカッタ８２を装填時の所定位置に移動させる。以上によりペーパーＰの先端部が簡易にカットできる。
【００２１】
なお、実施形態では開口部上板７２１の一端を係止し、他端をロックツマミ８６でロックしたが、両端をロックツマミ８６でロックしてもよい。
【００２２】
また、実施形態では感光材料箱に感光材料を収納したが、感光材料用包装袋に感光材料を収納し、装置にセット後、感光材料用包装袋を取り出すものでも良い。また、感光材料箱に感光材料を収納し、これを密閉された感光材料用カートリッジに収納するようにしても良い。
【００２３】
また、実施形態ではガイド板４５の途中の遮光部材としてローラ４９Ａ、４９Ｂをガイド板４５を押して遮光を行ったが、遮光カーテンを設けても良い。
【００２４】
【発明の効果】
以上のように構成したので下記の効果を奏する。請求項１によれば、感光材料用カートリッジの開口部が感光材料搬送時に開くので、感光材料の引出し力が小さくできる。
【００２５】
請求項２によれば、駆動ローラと第１ローラにより第１感光材料を搬送し、また前記駆動ローラと第２ローラにより第２感光材料を搬送するので、感光材料の搬送機構が簡易で小型化が可能となる。
【００２７】
請求項３によれば、開口部が感光材料の厚み方向に開くので、感光材料が開口部を通過する際の引出し抵抗が小さくなる。
【００２８】
請求項４によれば、感光材料用カートリッジにカッタ部材を内蔵し、感光材料用カートリッジのカッタ部材をスライド可能にしたので、感光材料用カートリッジの感光材料の先端部の切断が簡易になり、感光材料用カートリッジを装置本体にセットする際に、カッタ部材が自動的にスライドし操作が簡易となる。
【図面の簡単な説明】
【図１】  本発明の感光材料供給装置を適用するに適した感光材料露光装置の構成断面図である。
【図２】  本発明の感光材料供給装置の構成断面図である。
【図３】  本発明の感光材料供給装置の開口開き部構成図である。
【図４】  感光材料用カートリッジの外観斜視図である。
【図５】  感光材料用カートリッジのカッタ部、スライド把持部の斜視図である。
【図６】  他の感光材料用カートリッジの分解斜視図である。
【図７】  従来例の感光材料用供給装置である。
【符号の説明】
１１  現像部
１２  光源ユニット
１３  露光台
１４  吸盤
１５  ペーパー搬送路
１６  カッタ
１７  暗室
３０  感光材料用カートリッジ室
４１  モータ
４２Ａ  第１ローラ
４２Ｂ  第２ローラ
４３  アーム
４４  歯車
４５  ガイド板
４６  ウオーム
４７  モータ
４８  駆動ローラ
４９Ａ，４９Ｂ  ローラ
６１  ソレノイド
６２  スライド機構
６３  スライド棒
６４Ａ，６４Ｂ  ピン
７０，７０Ａ，７０Ｂ  感光材料用カートリッジ
７１  感光材料用カートリッジ本体
７１１  係止部
７２  開口部
７２１  開口部上板
７２１Ａ，７２１Ｂ  開口部上板係止部
７２２  開口部下板
７２３  穴
７３  固定金具
７４  遮光部材
８０  カッタ
８１  ヒンジ
８２  カッタ
８３  ガイドピン
８４  バネ
８５  スライド把持部
８６  ロックツマミ
９０Ａ，９０Ｂ  感光材料用カートリッジ
９１Ａ，９１Ｂ  ローラ
９２Ａ，９２Ｂ  ローラ
Ｐ  ペーパー（感光材料）
Ｂ  感光材料箱
【図１】
0003641731.tif 000002
【図２】
0003641731.tif 000003
【図３】
0003641731.tif 000004
【図４】
0003641731.tif 000005
【図５】
0003641731.tif 000006
【図６】
0003641731.tif 000007
【図７】
0003641731.tif 000008